(57)【要約】ダウン詰め枕の構造は所定の密度で、かつ実質的に均一の厚みを有する単数または複数のダウン羽毛シート内でぴったりと合わせて係留された布地ポーチで形成され、ダウンの羽毛は結合剤で結び付けられる。ダウン羽毛シートは反発性を示す記憶性を有する。成形したコア本体は布地ポーチに挿入されて、ダウン羽毛シートまたはシート部分でカプセル化される。またダウン詰め枕は人間工学的または非アレルギー性の枕としても組み立てられる。
2018537258.tif 000002
【特許請求の範囲】
【請求項１】
所定の密度で、かつ実質的に均一の厚みを有する単数または複数のダウン羽毛シート内でぴったりと合わせて係留され、かつダウンの羽毛は結合剤で結び付けられて、前記ダウン羽毛シートは高反発性を示す記憶性を有し、布地ポーチ内の成形したコア本体であり、前記コア本体をカプセル化するためにダウン羽毛シートがポーチ内に配置される、布地ポーチを含むダウン詰め枕。
【請求項２】
成形したコア本体が、形状復元記憶性を有する曲がりやすいフォーム材で作られる、請求項１に記載のダウン詰め枕。
【請求項３】
成形したコア本体が、化学的な結合剤によりブロック形に結び付けられたダウンと羽毛の高密度混合で作られる、請求項１に記載のダウン詰め枕。
【請求項４】
結合剤が、ダウン羽毛と混合される熱活性化粉体接着剤か、熱活性化結合繊維かのいずれか1つである、請求項１に記載のダウン詰め枕。
【請求項５】
所定の密度と厚さが、所望する柔らかさ、または硬さに応じて厚みが較正される、請求項２または３のいずれか一項に記載のダウン詰め枕。
【請求項６】
成形したコア本体が、形状復元性のある圧縮性フォーム材で形成され、かつ所定の密度がダウン枕の所望する柔らかさ、または硬さに応じて較正される、請求項２または３のいずれか一項に記載のダウン詰め枕。
【請求項７】
成形したコア本体が、ユーザの頭に治療的な支えを提供する剛性のウレタンフォーム材で組み立てられた人間工学的に成形したコア本体であり、かつダウン羽毛が人間工学的に成形したコア本体の少なくとも支え部について粘着係止されている、請求項２または３のいずれか一項に記載のダウン詰め枕。
【請求項８】
ダウン羽毛シートが、上下のエラストマーシートの間に挟んで接合されたダウン羽毛のマットである、請求項２または３のいずれか一項に記載のダウン詰め枕。
【請求項９】
上下のエラストマーシートが、熱活性化結合特性を有し、それにより所定の温度の範囲内で熱を加えられた時に成形したコア本体と、ポーチの内面とに結合する、請求項８に記載のダウン詰め枕。
【請求項１０】
上下のエラストマーシートが、弾性で接着性の伸縮自在の布地で形成されている、請求項８に記載のダウン詰め枕。
【請求項１１】
ポーチが、織布または不織布の材料で形成され、ダウン羽毛が結合剤で結合され、上下のエラストマーシートの間に係止され、かつポーチについての周囲のかがり縫い目でダウン羽毛を封入して非アレルギー性のダウン羽毛の枕が形成される、請求項８に記載のダウン詰め枕。
【請求項１２】
選択密度の全てについて、成形したコア本体が、ポリウレタン、合成または天然のラバーフォーム、高抵抗のポリウレタンの１つか、またはそれらの組み合わせで作られる、請求項８に記載のダウン詰め枕。
【請求項１３】
布地ポーチが、同じ寸法の一対のダウン羽毛シートで形成され、同じ寸法の対向する布地シート間で一方を他方に重ねて、周囲の所定部分のかがり縫い目でダウン羽毛シートと対向する布地シートを重ね合わせて、周縁囲い部で開口部を有するポーチを形成し、成形したコア本体を当該ポーチの内部に受け入れ、前記開口部を閉めた後はダウン羽毛シートで包囲される、請求項１に記載のダウン詰め枕。
【請求項１４】
成形したコア本体が、反発性を示す形状復元記憶性を有する曲がりやすいフォームコア本体である、請求項１３に記載のダウン詰め枕。
【発明の詳細な説明】
【技術分野】
【０００１】
本発明は枕構造、特にダウン詰め枕の構造に関する。
【背景技術】
【０００２】
枕のポーチはポリウレタンフォーム、ポリエステル詰め、羽毛、ダウン、更には硬いまたは軟らかいコア構造を含めた種々の組み立てで作られ、それにより、就寝時にユーザの頭と首に対する支えを提供する。また治療用の枕も知られているが、これらにはユーザの頭と首を支える硬い材料を使用している。非アレルギー性の枕構造では非アレルギー性のものが使われる。
【０００３】
必要な機能として柔らかく快適で、暖かさがある一方で、羽毛またはダウン詰め枕には幾つかの問題がある。１つの大きな問題としては、枕のポーチ内に配置された羽毛またはダウン詰め枕の不安定化であって、使用中に、または、ポーチ内でのダウンの均等配分のための動かす動作により、羽毛またはダウンの不安定性により枕のポーチの様々な個所で移動して塊になる傾向がある。言い換えれば、羽毛またはダウンは枕のポーチ全体を通して密度が一定でなく、従って絶えず手を使って枕ケースを揺さぶり、軽くたたく必要がある。このことはユーザのイライラの原因になり得る。
【０００４】
羽毛またはダウン枕の別の問題としては、小さな羽毛またはダウンが、特に動かす動作、軽いたたき、洗浄などの間にポーチと枕ケースから出てしまい、ユーザが吸引することである。ユーザが羽毛にアレルギーである場合には、羽毛またはダウン詰め枕と同等の快適さと暖かさを有しない非アレルギー性詰め材の枕を使用しなければならない。羽毛およびダウンは安定しない商品であり、枕を製造するのにポーチはたびたび手作業で詰められるか、ポーチに吹き込まれる。この様な製造方法は工場で働く作業者に対する健康被害の可能性があり、ポーチに一定量の羽毛またはダウンを挿入できなくなる。更に就寝時にユーザの顔に対して柔らかく、また、使用で圧縮されたとしても元の形に戻ることができるダウンは最高の絶縁材料の１つとして知られるが、これを使用するのは費用がかかる。
【発明の概要】
【発明が解決しようとする課題】
【０００５】
本発明の特徴はダウン詰め枕の製造においてダウン羽毛を使用した際の上記した不利を克服することである。
【０００６】
本発明の別の特徴はダウンが枕のポーチ内で全体を通して実質的に均等に配分され、この状態が使用中にも継続する、ダウン詰め枕の組み立てを提供することである。
【０００７】
本発明の更なる特徴はポーチ内のダウンが使用中または洗濯中にポーチから出るのを防止する、ダウン詰め枕の組み立てを提供することである。
【０００８】
本発明の別の更なる特徴は組み立てが簡素であり、かつ異なる柔らかさ、または硬さの枕を提供するのに異なる厚さのダウン羽毛シートが、その組み立てに使用できる、ダウン詰め枕の組み立てを提供することである。
【０００９】
本発明の別の特徴は実質的に均一な厚さのダウン材料で包囲されたコア本体を使用し、かつコア本体の周りに係留して保持される、ダウン詰め枕を提供することである。
【００１０】
本発明の別の特徴はポーチが表布材料のシートをそれぞれ有する１対のダウンのシートで形成され、かつコア本体を内部に受け入れる開放端を有するポーチを形成するように周方向に縫い合わされる、ダウン詰め枕の組み立てを提供することである。
【００１１】
本発明の別の特徴は組み立てが経済的であり、かつ作業担当者の健康に有害性が少ない、ダウン詰め枕の組み立てを提供することである。
【課題を解決するための手段】
【００１２】
上記の特徴に従い、広範な範囲において、本発明は所定の密度で、かつ実質的に均一の厚みを有する単数または複数のダウン羽毛シート内でぴったりと合わせて係留された布地ポーチで形成され、かつシート内のダウンの羽毛は結合剤で結び付けられているダウン詰め枕を提供する。ダウン羽毛シートは反発性を示す記憶性を有する。
【００１３】
本発明の更なる広範な範囲においては、成形したコア本体は布地ポーチ内に係止され、かつダウン羽毛シート（単数、複数）でカプセル化される。
【図面の簡単な説明】
【００１４】
好ましい実施態様は添付図面を参照して説明するが、その図面中で：
【図１】本発明に基づいて組み立てられたダウン詰め枕のポーチを示しており、取り外し自在の枕ケース内に挿入されている透視図である。
【図２】枕ケース内に着脱自在に係止されるポーチの内部組み立てを示す、本発明のダウン詰め枕のポーチの透視図である。
【図３】ダウン羽毛シート（単数、複数）でカプセル化されるコア本体を有する、ダウン詰め枕のポーチの側面視コア断面図である。
【図４】厚く、高密度のダウン羽毛シートにより全体に充填された、ダウン詰め枕のポーチの側面視コア断面図である。
【図５Ａ】それぞれが内部に受け入れて、ダウン羽毛ポーチ形成のために使用される表布地シートを有する、２枚のダウン羽毛シートの重ね合わせを示す縦断側面図である。
【図５Ｂ】ダウン羽毛シートとポーチ表布地シートの重ね合わせ周辺の縫い目を示す、部分的な縦断面図である。
【図６】図５Ａと５Ｂに基づいて、ダウン羽毛ポーチ組み立て内に配置されるコア本体を示す透視図である。
【図７】ユーザの頭の対向側に集まっているダウン羽毛に、ユーザの頭が乗っている従来技術の羽毛ポーチについての透視図である。
【図８】硬質フォーム材で形成される、治療型の枕コアの透視図である。
【図９】図８にある枕コアの縦断側面図であり、少なくとも治療型の枕コアの外側の上面に柔らかさを出すために、ダウン羽毛シートの区域がその上に粘着係止される。
【発明を実施するための形態】
【００１５】
ここで図面中、特に図１を参照すると、１０は一般的に本発明のダウン詰め枕を示す。このダウン詰め枕１０は、布地ポーチ１１を含み、この布地ポーチ１１の中には、当該布地ポーチ１１に密接にフィットする単数または複数のダウン羽毛シート１２がぴったりと合わせて係止される。図示されたように、ポーチは枕ケース１３に挿入される。ダウン羽毛シート１２には、ポーチ内にある時は実質的に一定の厚さのダウン羽毛の充てん層１５が有り、またこのダウン羽毛の充てん層は熱処理により活性化される結合繊維か、粉体接着剤などの結合剤で結び付けられ、実質的に均一状態で保持される。図示したように、ダウン羽毛シートは延伸性または結合性であり、軽量の布地または合成材料で形成される対向面シート１４を有するマット形状である。ダウン羽毛の充てん層１５は圧縮されても、元の形状および厚さになる形状復元性を示す。ダウン羽毛のシートの組み立てと特徴に関しては、発明の名称「ダウン羽毛シート（Down Feather Sheet）」と題する米国特許第６，０２５，０４１号明細書と、発明の名称「断熱され延伸性のあるダウン羽毛シートと製造方法（Thermally Insulated Stretchable Down Feather Sheet and Method of Fabrication）」と題するＰＣＴ国際出願ＰＣＴ／ＣＡ２０１４／０００８４号が参照される。
【００１６】
図１と図３で示すように、圧縮性フォーム材で成形したコア本体１６は、このコア本体１６を取り囲んでいるダウン羽毛シート１２でカプセル化される。コア本体１６をカプセル化しているダウン羽毛シート１２は区域として形成してもよく、またコア本体に接着で係止してもよい。コア本体１６はポリウレタンフォーム、合成または天然のラバーフォーム、またはそれらの組み合わせ、高抵抗のポリウレタン、その他の形状復元性のある好適な材料などで作られる。コア本体１６は枕の形で形成されるが、後で記載するような異なる形でも可能である。コア本体１６はまた、化学的な結合剤によりブロック形に結び付けられたダウンと羽毛の高密度混合で形成されて、ダウン羽毛シート１２により、またはコア本体の対向側に結合されている、対向するシートでカプセル化されてもよい。ダウン羽毛は上記したコア材またはダウンと羽毛の混合物に比べて高価であるので、コア本体１６を使用する際は安価なダウン詰め枕のポーチを提供することを目的としている。
【００１７】
図４は別の実施態様を示し、この実施態様では、ポーチ１２は重量が約１８０グラムのダウン羽毛の厚い充てん層１５’で形成され、この充てん層１５’は、対向面シート１４’を有している。一対の外側布地シート１７は、周囲のかがり縫い目１８により、ダウン羽毛の厚い充てん層１５’をカプセル化してポーチ１２を形成している。ダウン羽毛シートの厚さは枕のポーチの所望する柔らかさ、または硬さに応じて変えることができる。
【００１８】
図５Ａ〜図６は、ダウン詰めポーチの組み立ての更なる実施態様を示し、この実施態様では、ポーチが長方形のダウン羽毛シートを形成するように切断して、一方を他方の上に重ねた一対のダウン羽毛シート１２’で形成される。僅かに大きいか、または同じ寸法の面シート１４”が、重ねられたダウン羽毛シートの対向側に配置される。ダウンは高圧縮性であるので、重ね材料の周縁部の圧縮と周囲のかがり縫い目２０の形成により、縫い目の無い開口部でコア本体１６を受け入れるダウン羽毛のポーチ２１が形成される。その後、開口部２２は縫って閉められる。
【００１９】
対向面シート１４、またはこのシート１４の少なくとも１つのシートは、所定の温度の範囲で加熱されても、形づくられたコアおよび／またはポーチ１２の内面に曲がる熱活性化特性を有する布で形成されることが指摘される。対向面シート１４はまた伸縮自在で接着による結合性を有する脂肪族ポリウレタンのシートである。更に、対向面シートは織布または不織布の材料で形成されるが、全てのケースにおいてシートは非常に薄くて軽量である。上記したように周囲のかがり縫い目が形成された時には、結合剤を用いたダウン羽毛のマットは閉じ込まれ、またはカプセル化されることにより、ダウンの脱出を防止して、これにより非アレルギー性のダウン羽毛の枕が形成される。
【００２０】
図７は、ダウン材料２６が枕ケース２８に閉じ込まれ、ポーチ２７の内部に遊動式に配置されている、従来技術により形成されたダウン詰め枕２５を示す。図示したように、ユーザの頭２９が枕に配置された時に、ダウンはしばしば快適さや、ユーザの頭の下の枕の領域３０で支えがあまりない状態で移動してしまい、圧縮される。ダウン材料は、ポーチ２７の内部で遊動するので、ポーチ内では自由に移動して、通常はユーザの頭２９に対する支えと快適さが無い横領域３１へと伝播してゆく。ダウンのこの動きはポーチ内のダウンの再分配を試みるユーザの動かす動作および軽くたたく行為により、しばしば起こるものである。枕のポーチの製造に使用されたダウン羽毛シート１２は、図７に示した従来技術のこの欠点を無くすか、または克服する。
【００２１】
図８と図９を参照すると、更なる実施態様を示し、この実施態様では、ダウン羽毛シート１２”が人間工学の枕３５の組み立てに利用される。図示したように、人間工学的に成形した本体３６はウレタンフォーム材か、類似の剛性を有する他の似た材料から形成、成形されて、ユーザの頭と首に治療的な支えを提供する。そのような本体は当業者に知られているが、本発明により人間工学的に成形した本体３６の頭支え面部３７に接着して固定されるダウン詰め材シート１２”の層が提供されて、これにより剛性の支えにもかかわらず、快適さが増して提供される。ダウン材料１５は閉じ込められているので本体３６の上の位置に残り、圧縮が無くなると、その形状と一定の密度を回復する。
【００２２】
以上、本発明の複数の実施態様を明細書で説明したが、特許請求の範囲に含まれるものであれば、別の自明な実施態様や変形例も本発明に含まれることが意図されていることが指摘される。
【図１】
2018537258.tif 000003
【図２】
2018537258.tif 000004
【図３】
2018537258.tif 000005
【図４】
2018537258.tif 000006
【図５Ａ】
2018537258.tif 000007
【図５Ｂ】
2018537258.tif 000008
【図６】
2018537258.tif 000009
【図７】
2018537258.tif 000010
【図８】
2018537258.tif 000011
【図９】
2018537258.tif 000012
【国際調査報告】
2018537258.tif 000013
2018537258.tif 000014
2018537258.tif 000015